(57)【要約】【課題】テレビジョン放送受信装置において、テレビジョン放送信号の受信状態の良し悪しを、ユーザが容易に判断できるようにする。【解決手段】テレビジョン放送受信装置は、受信したテレビジョン放送信号の電界強度、Ｄ／Ｕ比、及びＣ／Ｎ比を検出し（＃１〜＃３）、これらの値に基づいて、受信状態評価テーブルを参照して、テレビジョン放送信号の受信状態の良し悪しを示す総合評価値を決定すると共に（＃４）、これらの値に基づいて、メッセージテーブルを参照して、受信したＴＶ放送信号の受信状態を説明するメッセージを決定する（＃５）。そして、決定した総合評価値及びメッセージを、電界強度、Ｄ／Ｕ比、及びＣ／Ｎ比と共にユーザに提示する（＃６）。ユーザは、この総合評価値等に基づいて、テレビジョン放送信号の受信状態の良し悪しを容易に判断することができる。【選択図】  図５
2006157333.tif 000002
【特許請求の範囲】
【請求項１】
テレビジョン放送信号を受信する受信手段と、
前記受信手段で受信したテレビジョン放送信号の電界強度を検出する電界強度検出手段と、
前記受信手段で受信したテレビジョン放送信号のＤ／Ｕ（Ｄｅｓｉｒｅｄ／Ｕｎｄｅｓｉｒｅｄ）比を検出してマルチパスの影響を検出するＤ／Ｕ比検出手段と、
前記受信手段で受信したテレビジョン放送信号のＣ／Ｎ（Ｃａｒｒｉｅｒ／Ｎｏｉｓｅ）比を検出して妨害電波の影響を検出するＣ／Ｎ比検出手段と、
前記電界強度検出手段により検出した電界強度、前記Ｄ／Ｕ比検出手段により検出したＤ／Ｕ比、及び前記Ｃ／Ｎ比検出手段により検出したＣ／Ｎ比をユーザに提示する受信信号品質提示手段と、
を備えたテレビジョン放送受信装置において、
前記受信手段により受信したテレビジョン放送信号の受信状態の良し悪しを総合評価するために用いられ、電界強度、Ｄ／Ｕ比、及びＣ／Ｎ比の各値の組み合わせについて、テレビジョン放送信号の受信状態の良し悪しを示す総合評価値が割り振られた受信状態評価テーブルを記憶する受信状態評価テーブル記憶手段と、
前記受信状態評価テーブルの電界強度、Ｄ／Ｕ比、及びＣ／Ｎ比の各値の組み合わせに対応して決定された、テレビジョン放送信号の受信状態、及び／又は、該受信状態の改善方法をユーザに説明するための複数のメッセージを含むメッセージテーブルを記憶するメッセージテーブル記憶手段と、
前記電界強度検出手段により検出した電界強度、前記Ｄ／Ｕ比検出手段により検出したＤ／Ｕ比、及び前記Ｃ／Ｎ比検出手段により検出したＣ／Ｎ比に基づいて、前記受信状態評価テーブルを参照して前記受信手段により受信したテレビジョン放送信号の前記総合評価値を決定する総合評価値決定手段と、
前記電界強度検出手段により検出した電界強度、前記Ｄ／Ｕ比検出手段により検出したＤ／Ｕ比、及び前記Ｃ／Ｎ比検出手段により検出したＣ／Ｎ比に基づいて、前記メッセージテーブルを参照して前記受信手段により受信したテレビジョン放送信号の受信状態に対応した前記メッセージを決定するメッセージ決定手段と、を備え、
前記受信信号品質提示手段は、前記受信手段により受信したテレビジョン放送信号の電界強度、Ｄ／Ｕ比、及びＣ／Ｎ比を同期させつつ更新しながらユーザに提示すると供に、前記総合評価値決定手段により決定した総合評価値、及び前記メッセージ決定手段により決定したメッセージをユーザに提示することを特徴とするテレビジョン放送受信装置。
【請求項２】
テレビジョン放送信号を受信する受信手段と、
前記受信手段で受信したテレビジョン放送信号の電界強度を検出する電界強度検出手段と、
前記受信手段で受信したテレビジョン放送信号のＤ／Ｕ（Ｄｅｓｉｒｅｄ／Ｕｎｄｅｓｉｒｅｄ）比を検出してマルチパスの影響を検出するＤ／Ｕ比検出手段と、
前記受信手段で受信したテレビジョン放送信号のＣ／Ｎ（Ｃａｒｒｉｅｒ／Ｎｏｉｓｅ）比を検出して妨害電波の影響を検出するＣ／Ｎ比検出手段と、
前記受信手段により受信したテレビジョン放送信号の信号品質をユーザに提示する受信信号品質提示手段と、
を備えたテレビジョン放送受信装置において、
前記受信手段により受信したテレビジョン放送信号の受信状態の良し悪しを総合評価するために用いられ、電界強度、Ｄ／Ｕ比、及びＣ／Ｎ比の各値の組み合わせについて、テレビジョン放送信号の受信状態の良し悪しを示す総合評価値が割り振られた受信状態評価テーブルを記憶する受信状態評価テーブル記憶手段と、
前記電界強度検出手段により検出した電界強度、前記Ｄ／Ｕ比検出手段により検出したＤ／Ｕ比、及び前記Ｃ／Ｎ比検出手段により検出したＣ／Ｎ比に基づいて、前記受信状態評価テーブルを参照して前記受信手段により受信したテレビジョン放送信号の前記総合評価値を決定する総合評価値決定手段と、を備え、
前記受信信号品質提示手段は、前記総合評価値決定手段により決定した総合評価値をユーザに提示することを特徴とするテレビジョン放送受信装置。
【請求項３】
前記受信信号品質提示手段は、前記総合評価値決定手段により決定した総合評価値を、前記電界強度検出手段により検出した電界強度、前記Ｄ／Ｕ比検出手段により検出したＤ／Ｕ比、及び前記Ｃ／Ｎ比検出手段により検出したＣ／Ｎ比と共にユーザに提示することを特徴とする請求項２に記載のテレビジョン放送受信装置。
【発明の詳細な説明】
【技術分野】
【０００１】
本発明はテレビジョン放送受信装置に関する。
【背景技術】
【０００２】
従来から、アンテナを介して受信したテレビジョン（ＴＶ）放送信号の電界強度（Ｓｉｇｎａｌ  Ｓｔｒｅｎｇｔｈ）やＣ／Ｎ（Ｃａｒｒｉｅｒ／Ｎｏｉｓｅ）比等を検出し、ＴＶ放送信号の受信状態をユーザに提示するようにしたＴＶ放送受信装置が知られている（例えば、特許文献１及び特許文献２参照）。このようなＴＶ放送受信装置によれば、ユーザはＴＶ放送信号の受信状態に応じてアンテナを適切に調整することが可能となる。ま、ＡＴＳＣ  Ａ／７４規格では、電界強度だけでなく、マルチパスの影響（Ｅｆｆｅｃｔ  ｏｆ  Ｍｕｌｔｉｐａｔｈ）や、妨害電波の影響（Ｉｎｔｅｒｆｅｒｅｎｃｅ  Ｉｍｐａｉｒｍｅｎｔ）をユーザにわかり易く提示するよう求めている。
【特許文献１】特開２００１−９４８９９号公報
【特許文献２】特開２００４−１７９８２５号公報
【発明の開示】
【発明が解決しようとする課題】
【０００３】
しかしながら、ＴＶ放送信号の受信状態の良し悪しは、電界強度や、マルチパスの影響、妨害電波の影響等がお互いに影響しあうため、単に、電界強度、マルチパスの影響、及び妨害電波の影響等をユーザに提示するだけでは、ユーザはＴＶ放送信号の受信状態の良し悪しを総合的に判断することが難しかった。
【０００４】
本発明は、上記の問題を解決するためになされたものであり、ＴＶ放送信号の受信状態の良し悪しを、ユーザが容易に判断することができるＴＶ放送受信装置を提供することを目的とする。
【課題を解決するための手段】
【０００５】
上記目的を達成するために請求項１の発明は、テレビジョン放送信号を受信する受信手段と、前記受信手段で受信したテレビジョン放送信号の電界強度を検出する電界強度検出手段と、前記受信手段で受信したテレビジョン放送信号のＤ／Ｕ（Ｄｅｓｉｒｅｄ／Ｕｎｄｅｓｉｒｅｄ）比を検出してマルチパスの影響を検出するＤ／Ｕ比検出手段と、前記受信手段で受信したテレビジョン放送信号のＣ／Ｎ（Ｃａｒｒｉｅｒ／Ｎｏｉｓｅ）比を検出して妨害電波の影響を検出するＣ／Ｎ比検出手段と、前記電界強度検出手段により検出した電界強度、前記Ｄ／Ｕ比検出手段により検出したＤ／Ｕ比、及び前記Ｃ／Ｎ比検出手段により検出したＣ／Ｎ比をユーザに提示する受信信号品質提示手段と、を備えたテレビジョン放送受信装置において、前記受信手段により受信したテレビジョン放送信号の受信状態の良し悪しを総合評価するために用いられ、電界強度、Ｄ／Ｕ比、及びＣ／Ｎ比の各値の組み合わせについて、テレビジョン放送信号の受信状態の良し悪しを示す総合評価値が割り振られた受信状態評価テーブルを記憶する受信状態評価テーブル記憶手段と、前記受信状態評価テーブルの電界強度、Ｄ／Ｕ比、及びＣ／Ｎ比の各値の組み合わせに対応して決定された、テレビジョン放送信号の受信状態、及び／又は、該受信状態の改善方法をユーザに説明するための複数のメッセージを含むメッセージテーブルを記憶するメッセージテーブル記憶手段と、前記電界強度検出手段により検出した電界強度、前記Ｄ／Ｕ比検出手段により検出したＤ／Ｕ比、及び前記Ｃ／Ｎ比検出手段により検出したＣ／Ｎ比に基づいて、前記受信状態評価テーブルを参照して前記受信手段により受信したテレビジョン放送信号の前記総合評価値を決定する総合評価値決定手段と、前記電界強度検出手段により検出した電界強度、前記Ｄ／Ｕ比検出手段により検出したＤ／Ｕ比、及び前記Ｃ／Ｎ比検出手段により検出したＣ／Ｎ比に基づいて、前記メッセージテーブルを参照して前記受信手段により受信したテレビジョン放送信号の受信状態に対応した前記メッセージを決定するメッセージ決定手段と、を備え、前記受信信号品質提示手段は、前記受信手段により受信したテレビジョン放送信号の電界強度、Ｄ／Ｕ比、及びＣ／Ｎ比を同期させつつ更新しながらユーザに提示すると供に、前記総合評価値決定手段により決定した総合評価値、及び前記メッセージ決定手段により決定したメッセージをユーザに提示することを特徴とする。
【０００６】
請求項２の発明は、テレビジョン放送信号を受信する受信手段と、前記受信手段で受信したテレビジョン放送信号の電界強度を検出する電界強度検出手段と、前記受信手段で受信したテレビジョン放送信号のＤ／Ｕ（Ｄｅｓｉｒｅｄ／Ｕｎｄｅｓｉｒｅｄ）比を検出してマルチパスの影響を検出するＤ／Ｕ比検出手段と、前記受信手段で受信したテレビジョン放送信号のＣ／Ｎ（Ｃａｒｒｉｅｒ／Ｎｏｉｓｅ）比を検出して妨害電波の影響を検出するＣ／Ｎ比検出手段と、前記受信手段により受信したテレビジョン放送信号の信号品質をユーザに提示する受信信号品質提示手段と、を備えたテレビジョン放送受信装置において、前記受信手段により受信したテレビジョン放送信号の受信状態の良し悪しを総合評価するために用いられ、電界強度、Ｄ／Ｕ比、及びＣ／Ｎ比の各値の組み合わせについて、テレビジョン放送信号の受信状態の良し悪しを示す総合評価値が割り振られた受信状態評価テーブルを記憶する受信状態評価テーブル記憶手段と、前記電界強度検出手段により検出した電界強度、前記Ｄ／Ｕ比検出手段により検出したＤ／Ｕ比、及び前記Ｃ／Ｎ比検出手段により検出したＣ／Ｎ比に基づいて、前記受信状態評価テーブルを参照して前記受信手段により受信したテレビジョン放送信号の前記総合評価値を決定する総合評価値決定手段と、を備え、前記受信信号品質提示手段は、前記総合評価値決定手段により決定した総合評価値をユーザに提示することを特徴とする。
【０００７】
請求項３の発明は、請求項２に記載のテレビジョン放送受信装置において、前記受信信号品質提示手段は、前記総合評価値決定手段により決定した総合評価値を、前記電界強度検出手段により検出した電界強度、前記Ｄ／Ｕ比検出手段により検出したＤ／Ｕ比、及び前記Ｃ／Ｎ比検出手段により検出したＣ／Ｎ比と共にユーザに提示することを特徴とする。
【発明の効果】
【０００８】
請求項１によれば、電界強度検出手段により検出した電界強度、Ｄ／Ｕ比検出手段により検出したＤ／Ｕ比、及びＣ／Ｎ比検出手段により検出したＣ／Ｎ比に基づいて、受信状態評価テーブルを参照して、テレビジョン放送信号の受信状態の良し悪しを示す総合評価値を決定し、この総合評価値をユーザに提示するので、ユーザはテレビジョン放送信号の受信状態の良し悪しを容易に判断することができる。
【０００９】
また、受信したテレビジョン放送信号の総合評価値と共に、電界強度、Ｄ／Ｕ比、及びＣ／Ｎ比を同期させつつ更新しながらユーザに提示するので、ユーザは、テレビジョン放送信号の受信状態をより詳しく知ることができ、受信状態の良し悪しをより容易に判断することができる。
【００１０】
更に、受信したテレビジョン放送信号の総合評価値、電界強度、Ｄ／Ｕ比、及びＣ／Ｎ比と共に、テレビジョン放送信号の受信状態、及び／又は、該受信状態の改善方法をユーザに説明するためメッセージをユーザに提示するので、ユーザは、受信状態をより容易に判断することができると共に、受信状態の改善方法を知ることができる。
【００１１】
請求項２によれば、電界強度検出手段により検出した電界強度、Ｄ／Ｕ比検出手段により検出したＤ／Ｕ比、及びＣ／Ｎ比検出手段により検出したＣ／Ｎ比に基づいて、受信状態評価テーブルを参照して、テレビジョン放送信号の受信状態の良し悪しを示す総合評価値を決定し、この総合評価値をユーザに提示するので、ユーザはテレビジョン放送信号の受信状態の良し悪しを容易に判断することができる。
【００１２】
請求項３によれば、受信したテレビジョン放送信号の総合評価値と共に、電界強度、Ｄ／Ｕ比、及びＣ／Ｎ比をユーザに提示するので、ユーザは、テレビジョン放送信号の受信状態をより詳しく知ることができ、受信状態の良し悪しをより容易に判断することができる。
【発明を実施するための最良の形態】
【００１３】
本発明の第１の実施形態に係るテレビジョン（ＴＶ）放送受信装置について図１乃至図６を参照して説明する。図１に示されるように、ＴＶ放送受信装置１は、八木アンテナY等に接続され、放送局から所定周波数帯域で配信されてくるディジタルＴＶ放送信号（以下、単にＴＶ放送信号という）を受信して、各チャンネルのＴＶ放送信号に含まれるＴＶ番組をモニタ装置３に出力する装置である。なお、本実施形態の説明では、ＴＶ番組の放送に使用されている搬送波の周波数帯域である物理チャンネルのことを、単にチャンネルという。
【００１４】
ＴＶ放送受信装置１は、チューナ１１と、チューナ１１で受信したＴＶ放送信号に対して所定の信号処理を行い、復号化するフロントエンド１２と、ＭＰＥＧ圧縮されていたＴＶ放送信号をデコードするＭＰＥＧデコーダ１３と、デコードされたＴＶ放送信号に所定の表示画像を重畳させるオンスクリーンディスプレイ（ＯＳＤ）部１４と、各種情報を記憶するメモリ１５と、ＴＶ放送受信装置１全体の制御を司る制御部１６とを備えている。
【００１５】
チューナ（受信手段）１１は、八木アンテナＹを介してＴＶ放送信号を受信し、受信したＴＶ放送信号の中から、希望するチャンネルを選局する。フロントエンド（電界強度検出手段、Ｄ／Ｕ比検出手段、Ｃ／Ｎ比検出手段）１２は、Ａ／Ｄコンバータ、波形等化回路、Ｃ／Ｎ検出回路、及びエラー訂正回路等を備えており、電界強度、Ｄ／Ｕ比、及びＣ／Ｎ比を検出し、これらの値を制御部１６に出力する。また、フロントエンド１２は誤り訂正処理を行い、多重化された信号から必要なＴＳ（Transport  Stream）パケットを分離し、ＴＶ放送受信装置１内の各ブロックへ、それぞれ必要なＴＳパケットを供給する。ＭＰＥＧデコーダ１３は、フロントエンド１２により分離された映像ストリームのデコード処理を行い、デコードされた映像信号をＯＳＤ部１４を介してモニタ装置３に出力する。
【００１６】
メモリ（受信状態評価テーブル記憶手段）１５は、図２及び図３に示されるような受信状態評価テーブル５１〜５６を記憶する。受信状態評価テーブル５１〜５６は、チューナ１１で受信したＴＶ放送信号の受信状態の良し悪しを総合評価するために用いられ、電界強度、Ｄ／Ｕ比、及びＣ／Ｎ比の各値の組み合わせについて、ＴＶ放送信号の受信状態の良し悪しを示す総合評価値５０が割り振られている。また、受信状態評価テーブル５１〜５６は、ＴＶ放送信号の受信状態に応じて各領域Ａ〜Ｇに分けられている。なお、図２及び図３においては、電界強度、Ｄ／Ｕ比、及びＣ／Ｎ比の各値を、便宜上”０”から”１００”までの百分率（％）表示で示している。従って、最も電界強度の大きい状態、最もマルチパスの影響が大きい（Ｄ／Ｕ比が小さい）状態、及び最も妨害電波の影響が大きい（Ｃ／Ｎ比が小さい）状態がそれぞれ”１００”に対応し、最も電界強度の小さい状態、最もマルチパスの影響が小さい（Ｄ／Ｕ比が大きい）状態、及び最も妨害電波の影響が小さい（Ｃ／Ｎ比が大きい）状態がそれぞれ”０”に対応する。
【００１７】
図２及び図３において、例えば、電界強度の値が”９０”（図２（ｂ）参照）、Ｄ／Ｕ比の値が”４０”、Ｃ／Ｎ比の値が”３０”となる場合、総合評価値５０の値は”６０”となり、領域Ｂに属することとなる。また、電界強度の値が”７０”（図３（ａ）参照）、Ｄ／Ｕ比の値が”７０”、Ｃ／Ｎ比の値が”１０”となる場合、総合評価値５０の値は”４０”となり、領域Ｄに属することとなる。
【００１８】
また、メモリ（メッセージテーブル記憶手段）１５は、図４に示されるようなメッセージテーブル６０を記憶する。メッセージテーブル６０は、受信状態評価テーブル５１〜５６の電界強度、Ｄ／Ｕ比、及びＣ／Ｎ比の各値の組み合わせに対応して決定された、ＴＶ放送信号の受信状態を説明するメッセージ６１〜６８と、該受信状態の改善方法をユーザに説明するためのメッセージ６９〜７２とを含んでいる。図４における各メッセージ６１〜７２は、図２及び図３における各領域Ａ〜Ｇと対応しており、例えば、領域Ａに属する電界強度、Ｄ／Ｕ比、及びＣ／Ｎ比の各値の組み合わせについてはメッセージ６１が対応し、領域Ｂに属する各値の組み合わせについてはメッセージ６２，６９が対応している。以下同様に、領域Ｃについてはメッセージ６３，７０、領域Ｄについてはメッセージ６４，７１、領域Ｅについてはメッセージ６５，７２、領域Ｆについてはメッセージ６６、領域Ｇについてはメッセージ６７が、それぞれ対応している。なお、図４において、メッセージ６６は、複数の原因により受信状態が悪い場合のメッセージであり、メッセージ６８は、電界強度の値が”４０”以下となる場合のメッセージである。本実施形態においては、電界強度の値が”４０”以下となる場合は受像できなくなるものとして、受信状態評価テーブル５１〜５６を設けていないが、電界強度の値が”４０”以下となる場合について、受信状態評価テーブルを設けるようにしてもよく、所定の演算式（例えば、ｘ＝ａ−（ｂ＋ｃ）／２、ここで、”ｘ”は総合評価値、”ａ”は電界強度の値、”ｂ”はＤ／Ｕ比の値、”ｃ”はＣ／Ｎ比をそれぞれ示す）などを用いて総合評価値５０を算出するようにしてもよい。
【００１９】
制御部１６は、不図示のＲＯＭに記憶されているプログラムに従って各種処理を実行してＴＶ放送受信装置１全体を制御し、後述する受信状態提示処理を実行することにより、総合評価値決定手段、メッセージ決定手段、及び受信信号品質提示手段として機能する。
【００２０】
次に、ＴＶ放送受信装置１による受信状態提示処理について図５のフローチャートを参照して説明する。受信状態提示処理が開始されると、ＴＶ放送受信装置１は、フロントエンド１２において、電界強度、Ｄ／Ｕ比、Ｃ／Ｕ比の順で検出し（＃１〜＃３）、これら検出された電界強度、Ｄ／Ｕ比、及びＣ／Ｕ比を制御部１６に出力する。制御部１６は、フロントエンド１２から入力された電界強度、Ｄ／Ｕ比、Ｃ／Ｎ比に基づいて、受信状態評価テーブル５１〜５６を参照して、受信したＴＶ放送信号の総合評価値５０を決定すると共に（＃４）、これら電界強度、Ｄ／Ｕ比、及びＣ／Ｎ比に基づいて、メッセージテーブル６０を参照して、受信したＴＶ放送信号の受信状態に対応したメッセージ６１〜７２を決定する（＃５）。そして、総合評価値５０及びメッセージ６１〜７２と共に、電界強度、Ｄ／Ｕ比、Ｃ／Ｎ比をＯＳＤ表示してユーザに提示し（＃６）、ユーザにより受信状態提示処理の終了キー（図示せず）が操作されるまで（＃７でＹＥＳ）、電界強度、Ｄ／Ｕ比、及びＣ／Ｎ比を同期させつつ更新しながらユーザに提示する。なお、ここで、「電界強度、Ｄ／Ｕ比、及びＣ／Ｎ比を同期させつつ更新しながらユーザに提示する」とは、電界強度、Ｄ／Ｕ比、及びＣ／Ｎ比の各値の更新、提示を同時に行うことを意味する。すなわち、通常、電界強度、Ｄ／Ｕ比、及びＣ／Ｎ比は同時に検出することができず、それぞれを別々に検出することになるが、これらの各値を検出された直後に別々にユーザに提示するのではなく、全てが揃った時点で初めてユーザに提示するようにする。このように、電界強度、Ｄ／Ｕ比、及びＣ／Ｎ比を同期させつつ更新しながらユーザに提示することにより、ユーザはＴＶ放送信号の受信状態の容易に確認することができる。
【００２１】
図６は、上記受信状態提示処理により表示された受信状態提示画面３０の例を示す図である。受信状態提示画面３０には、受信したＴＶ放送信号の電界強度を示す棒グラフ３１、Ｄ／Ｕ比を示す棒グラフ３２、及びＣ／Ｎ比を示す棒グラフ３３と共に、総合評価値表示部３４、及びメッセージウインドウ３５が含まれている。同図は、電界強度の値が”９０”、Ｄ／Ｕ比の値が”４０”、及びＣ／Ｎ比の値が”３０”の場合について示しており、図２（ｂ）に示される受信状態評価テーブル５２を参照して決定された総合評価値５０の値”６０”、及び、図４に示されるメッセージテーブル６０を参照して決定された、領域Ｂに対応するメッセージ６２，６９が表示されている。
【００２２】
以上のように、本実施形態のＴＶ放送受信装置１によれば、フロントエンド１２において検出した電界強度、Ｄ／Ｕ比、及びＣ／Ｎ比に基づいて、受信状態評価テーブル５１〜５６を参照して、ＴＶ放送信号の受信状態の良し悪しを示す総合評価値５０を決定し、この総合評価値５０をユーザに提示するので、ユーザはＴＶ放送信号の受信状態の良し悪しを容易に判断することができる。
【００２３】
また、受信したＴＶ放送信号の総合評価値５０と共に、電界強度、Ｄ／Ｕ比、及びＣ／Ｎ比を同期させつつ更新しながらユーザに提示するので、ユーザは、ＴＶ放送信号の受信状態をより詳しく知ることができ、受信状態の良し悪しをより容易に判断することができる。
【００２４】
更に、受信したＴＶ放送信号の総合評価値５０、電界強度、Ｄ／Ｕ比、及びＣ／Ｎ比と共に、ＴＶ放送信号の受信状態、及び／又は、該受信状態の改善方法をユーザに説明するためメッセージ６１〜７２をユーザに提示するので、ユーザは、受信状態をより容易に判断することができると共に受信状態の改善方法を知ることができる。
【００２５】
次に、本発明の第２の実施形態に係るＴＶ放送受信装置について図７乃至図１０を参照して説明する。本実施形態におけるＴＶ放送受信装置１は、指向性を変更できる多指向性アンテナが接続され、ＴＶ放送受信装置１側からアンテナの指向性を制御する点で第１の実施形態と異なる。なお、ここで多指向性アンテナとは、アンテナの指向性を機械的又は電子的な手段により切り替えることが可能なアンテナのことをいい、このようなアンテナとして、例えば、ＥＩＡ−９０９（Antenna  Control  Interface）規格に規定される通称スマートアンテナと呼ばれるアンテナを用いることができる。
【００２６】
図７に示されるように、スマートアンテナＳは、有効な受信方向を機械的又は電子的に切り替えることにより複数の受信方向Ｄ０〜Ｄ１５（図８参照）からＴＶ放送信号を受信するアンテナ部２１と、アンテナ部２１の動作を制御するアンテナコントローラ２２とを備えている。アンテナコントローラ２２は、ＴＶ放送受信装置１からの制御信号に応じて、アンテナ部２１の複数ある受信方向Ｄ０〜Ｄ１５のうち、指示された受信方向のみを有効にする。
【００２７】
ＴＶ放送受信装置１は、アンテナコントローラ２２に接続されるモジュラ端子１７を備えており、制御部１６は、このモジュラ端子１７を介してアンテナコントローラ２２に制御信号を出力することにより、スマートアンテナＳの有効な受信方向等を制御する。
【００２８】
次に、本実施形態のＴＶ放送受信装置１による受信状態提示処理について図９を参照して説明する。受信状態提示処理が開始されると、制御部１６は、まず、受信方向Ｄｎの値をゼロにセットする（＃２１）。そして、受信方向Ｄｎの値が１６より大きいか否か判断し（＃２２）、全ての受信方向Ｄｎについてステップ＃２３からステップ＃２８までの処理を繰り返す。すなわち、まず、ステップ＃２３において、アンテナコントローラ２２に制御信号を出力して、スマートアンテナＳの有効な受信方向を受信方向Ｄｎに設定する。そして、この受信方向Ｄｎにおける電界強度、Ｄ／Ｕ比、及びＣ／Ｎ比を検出し（＃２４〜＃２６）、これらの値に基づいて、図２及び図３に示される受信状態評価テーブル５１〜５６を参照して、総合評価値５０を決定する（＃２７）。そして、受信方向Ｄｎの値をインクリメントして（＃２８）、ステップ＃２２からの処理を繰り返す。全ての受信方向Ｄｎについてステップ＃２３からステップ＃２８までの処理が終了すると（＃２２でＹＥＳ）、全受信方向の総合評価値５０を比較し（＃２９）、最も総合評価値５０が大きくなる受信方向を最適受信方向として決定する（＃３０）。そして、最適受信方向の総合評価値５０と共に、電界強度、Ｄ／Ｕ比、Ｃ／Ｎ比をＯＳＤ表示し（＃３１）、ユーザにより受信状態提示処理の終了キーが操作されるまで（＃３２でＹＥＳ）、電界強度、Ｄ／Ｕ比、及びＣ／Ｎ比を同期させつつ更新しながらユーザに提示する。
【００２９】
図１０は、上記受信状態提示処理により表示される受信状態提示画面４０の例を示す図である。受信状態提示画面４０には、各受信方向Ｄ０〜Ｄ１５で受信したＴＶ放送信号の電界強度４１ａ、Ｄ／Ｕ比４１ｂ、Ｃ／Ｎ比４１ｃ、及び総合評価値５０を示すグラフ４１、並びに、最適受信方向の総合評価値５０を示す総合評価値表示部４２が含まれている。このように、各受信方向Ｄ０〜Ｄ１５で受信したＴＶ放送信号の電界強度４１ａ、Ｄ／Ｕ比４１ｂ、Ｃ／Ｎ比４１ｃ、及び総合評価値５０をグラフ４１で示すことにより、各受信方向Ｄ０〜Ｄ１５におけるＴＶ放送信号の受信状態が直感的に把握し易くなる。
【００３０】
以上のように、本実施形態のＴＶ放送受信装置１によれば、第１の実施形態と同様、フロントエンド１２で検出した電界強度、Ｄ／Ｕ比、及びＣ／Ｎ比に基づいて、受信状態評価テーブル５１〜５６を参照して、ＴＶ放送信号の受信状態の良し悪しを示す総合評価値５０を決定し、この総合評価値５０をユーザに提示するので、ユーザはＴＶ放送信号の受信状態の良し悪しを容易に判断することができる。
【００３１】
更に、本実施形態においては、全ての受信方向Ｄ０〜Ｄ１５の総合評価値５０を比較して最適受信方向を決定することができるので、スマートアンテナＳの有効な受信方向を自動的に最適受信方向に制御するなどしてユーザによるアンテナの受信方向調整を不用とし、装置の使い勝手を向上させることができる。
【００３２】
なお、本発明は上記実施形態の構成に限られることなく種々の変形が可能である。例えば、ＴＶ放送信号はディジタルＴＶ放送信号でなくてもよく、アナログＴＶ放送信号であってもよい。また、受信状態提示処理において、総合評価値５０のみを提示するなどして、簡易的にＴＶ放送信号の信号品質をユーザに提示するようにしてもよい。
【図面の簡単な説明】
【００３３】
【図１】本発明の第１の実施形態に係るＴＶ放送受信装置の構成を示すブロック図。
【図２】（ａ）は同受信装置のメモリに記憶される、電界強度”１００”における受信状態評価テーブルの説明図、（ｂ）は電界強度”９０”における受信状態評価テーブルの説明図、（ｃ）は電界強度”８０”における受信状態評価テーブルの説明図。
【図３】（ａ）は電界強度”７０”における受信状態評価テーブルの説明図、（ｂ）は同電界強度”６０”における受信状態評価テーブルの説明図、（ｃ）は電界強度”５０”における受信状態評価テーブルの説明図。
【図４】同受信装置のメモリに記憶されるメッセージテーブルの説明図。
【図５】同受信装置による受信状態提示処理を示すフローチャート。
【図６】同受信状態提示処理により表示される受信状態提示画面を示す図。
【図７】本発明の第２の実施形態に係るＴＶ放送受信装置の構成を示すブロック図。
【図８】同受信装置に接続されるスマートアンテナの受信方向の説明図。
【図９】同受信装置による受信状態提示処理を示すフローチャート。
【図１０】同受信状態提示処理により表示される受信状態提示画面を示す図。
【符号の説明】
【００３４】
１  テレビジョン放送受信装置
３  モニタ装置
１１  チューナ（受信手段）
１２  フロントエンド（電界強度検出手段、Ｄ／Ｕ比検出手段、Ｃ／Ｎ比検出手段）
１３  ＭＰＥＧデコーダ
１４  オンスクリーンディスプレイ部
１５  メモリ（受信状態評価テーブル記憶手段、メッセージテーブル記憶手段）
１６  制御部（総合評価値決定手段、メッセージ決定手段、受信信号品質提示手段）
１７  モジュラ端子
２１  アンテナ部
２２  アンテナコントローラ
Ｓ  スマートアンテナ
Ｙ  八木アンテナ
【図１】
2006157333.tif 000003
【図２】
2006157333.tif 000004
【図３】
2006157333.tif 000005
【図４】
2006157333.tif 000006
【図５】
2006157333.tif 000007
【図６】
2006157333.tif 000008
【図７】
2006157333.tif 000009
【図８】
2006157333.tif 000010
【図９】
2006157333.tif 000011
【図１０】
2006157333.tif 000012